(57)【要約】【課題】光学部品のホルダーへの取り付けにおいて光学部品の汚れを防止するとともに、光学部品の取り付けを確実化した投射型映像表示装置を提供すること【解決手段】本発明に係る投射型映像表示装置は、光学部品が光学部品取付用のホルダー７０に取り付けられて機内に組み込まれるものである。ホルダー７０は、一端側に第１爪部７４とこの第１爪部７４を変位可能とするための変位手段と、他端側に第２爪部７７と、光路用開口部７３に連続するとともに人手の指先を入れることができる程度の大きさに形成された指先挿入用穴７６とが設けられている。変位手段の具体例として、第１爪部７４に近接してスリット７８が設けられている。また、光学部品としては、入射側偏光板２１を初め出射側偏光板、光学補償板、レンズ類などを挙げることができる。【選択図】図５
2010134173.tif 000002
【特許請求の範囲】
【請求項１】
光を通過させる光路用開口部の周囲に枠部が樹脂一体成形された光学部品取付用のホルダーと、このホルダーに取り付けられた光学部品とを備えた投射型映像表示装置であって、
ホルダーは、光学部品の一端を支持するように光路用開口部の一端側端縁に設けられた第１爪部と、光学部品の他端を支持するように光路用開口部の他端側端縁に設けられた第２爪部と、前記一端側の枠部において第１爪部が外側へ変位可能に形成された変位手段と、前記他端側の枠部において光路用開口部に連続するとともに人手の指先を入れることができる程度の大きさに形成された指先挿入用穴とを有することを特徴とする投射型映像表示装置。
【請求項２】
前記変位手段は、第１爪部に近接して形成されたスリットであることを特徴とする請求項１記載の投射型映像表示装置。
【請求項３】
前記ホルダーは、第１爪部が前記スリットの中央と対応する位置に設けられていることを特徴とする請求項２記載の投射型映像表示装置。
【請求項４】
前記ホルダーは、第２爪部が前記指先挿入用穴の両側に設けられていることを特徴とする請求項１〜３の何れか１項に記載の投射型映像表示装置。
【請求項５】
前記ホルダーは、光学部品冷却用の冷却空気が第１爪部側から第２爪部側に向けて吹き付けられるように取り付けられていることを特徴とする請求項１〜４の何れか１項に記載の投射型映像表示装置。
【請求項６】
前記ホルダーは、光学部品としての偏光板が取り付けられていることを特徴とする請求項１〜５の何れか１項に記載の投射型映像表示装置。
【請求項７】
前記ホルダーは、光学部品としての光学補償板が取り付けられていることを特徴とする請求項１〜６の何れか１項に記載の投射型映像表示装置。
【請求項８】
前記ホルダーは、前記他端側の枠部に光学部品の取付角度を調整するための取手片が形成されていることを特徴とする請求項６又は７記載の投射型映像表示装置。
【請求項９】
前記ホルダーは、光学部品としてのレンズが取り付けられていることを特徴とする請求項１〜５の何れか１項に記載の投射型映像表示装置。
【発明の詳細な説明】
【技術分野】
【０００１】
本発明は、投写型映像表示装置に係り、特に、光学部品取付用のホルダーにおける光学部品の取付構造に関する。
【背景技術】
【０００２】
大型のスクリーン等に映像を投影して表示する投射型映像装置、すなわちプロジェクタが以前より用いられている。特に近年、ＣＲＴ方式に比べ小型かつ軽量に構成できる液晶プロジェクタが主流となっている。
【０００３】
一般的に液晶プロジェクタは、光源から出射された偏りのない光を直線偏光光に変換して赤青緑の３色の分光に分離する。そして、この分光を赤色光用、青色光用及び緑色光用の三つの液晶ライトバルブに投射し、これら液晶ライトバルブにより画像信号に応じて変調し、変調した光をダイクロイックプリズムで合成して、合成光をスクリーンに投写するように構成された光学系を備えている。
【０００４】
ところで、このような光学系には種々の光学部品が用いられている。例えば、液晶ライトバルブには、液晶パネルのほか、液晶パネルの前後に偏光板や光学補償板が用いられている。また、この光学系には、リレーレンズやコンデンサレンズなども用いられている。この種の光学部品は、光学系機器を収納する筺体への組み込みを容易にするために、通常は樹脂成型品である光学部品取付用のホルダーに取り付けて組み込まれている。
【０００５】
従来の光学部品取付用のホルダーにおける光学部品の取付構造としては、特許文献１に記載されているように、光学部品の再利用を可能としたものが普及している。ここで、この従来例について図６及び図７に基づき説明する。
【０００６】
図６は、コンデンサレンズを光学部品取付用のホルダー（特許文献１では調整部品と称されている）に取り付ける場合の取付構造例であって、（ａ）は関連部品の斜視図であり、（ｂ）はコンデンサレンズの取付工程途中の状態を示す斜視図であり、（ｃ）はコンデンサレンズの取付が完了した状態における弾性嵌合部の拡大側面図である。
【０００７】
光学部品取付用のホルダー１００は、光源からの光を通過させる光路用開口部１０１の周囲に枠部が樹脂一体成形されたものであって、下側の枠部の左右両角部には、コンデンサレンズ１１０の下側の外周縁の両端が嵌合して位置決めされる位置決め用嵌合部１０２が形成されている。各位置決め用嵌合部１０２は、背面側の壁部１０２ａと前面側の爪部１０２ｂで構成されている。また、両位置決め用嵌合部１０２の中間部の前面側には、爪部１０４が形成されている。
【０００８】
一方、ホルダー１００の上側の左右両角部には、下側が位置決め用嵌合部１０２に嵌合されたコンデンサレンズ１１０に対し、このコンデンサレンズの上側の外周縁の両角部と弾性的に嵌合する弾性嵌合部１０５が形成されている。弾性嵌合部１０５は、枠部から立設されて内側に略Ｕ字状に折曲形成されるとともに、弾性変形する内側片に爪部１０６が形成されている。
【０００９】
上記の構成において、コンデンサレンズ１１０がホルダー１００に取り付けられるときは、先ず図６（ａ）に示されるように、コンデンサレンズ１１０の下側がホルダー１００の下側の位置決め用嵌合部１０２における壁部１０２ａと爪部１０２ｂとの間に挟まれる。次いで、図６（ｂ），（ｃ）に示すように、コンデンサレンズ１１０の上側が人手の指先で矢印方向Ａに押されて、ホルダー１００の上側の弾性嵌合部１０５に対し滑らせるように押し込められている。
【００１０】
この結果、コンデンサレンズ１１０は、上側両端部が図６（ｃ）に示すように弾性嵌合部１０５の爪部１０６に嵌合され、爪部１０６の矢印Ｂ方向の弾性力を受けて位置決めされ、固定されている。
【００１１】
なお、ホルダー１００からコンデンサレンズ１１０を取り外すときは、左右両側の弾性嵌合部１０５を外側に（Ｂ方向と逆の方向に）弾性変形させ、爪部１０６とコンデンサレンズ１１０との嵌合状態を解いて取り外すように構成されている。このような取付構造は、コンデンサレンズ以外の各種レンズにも適用される。
【００１２】
図７は、特許文献１に記載された入射側偏光板２１０及び光学補償板２２０をホルダー２３０，２４０に取り付ける場合の取付構造例を図示している。これらの取付構造は、この図に示されるように、前述のコンデンサレンズ１１０の取付構造と類似の取付構造が採用されている。すなわち、入射側偏光板２１０及び光学補償板２２０は、下端がホルダー２３０，２４０の下方の左右２箇所に設けられた爪部２３１，２４１に引掛けられ、上端部がホルダー２３０，２４０の上方の中央部に設けられた弾性嵌合部２３２，２４２に対し指先等で押されて、滑らせるように押し込められて固定されている。なお、入射側偏光板２１０、光学補償板２２０には、偏光角度調整を行うための取手片２３３，２４３が設けられている。
【特許文献１】特開２００８−５８６７４号公報
【発明の開示】
【発明が解決しようとする課題】
【００１３】
しかしながら、上記従来の光学部品取付用のホルダーにおける取付構造によれば、コンデンサレンズ１１０、入射側偏光板２１０、光学補償板２２０等の光学部品を取り付けるときは、これら光学部品を指先等で押圧する必要があった。このため、これら光学部品の表面に指紋等の汚れが付着し、映像の質を劣化させてしまうという問題があった。また、弾性嵌合部１０５は、弾性力を発生させるためにＵ字型を成す爪部に形成されているので、このＵ字型を成す爪部の寸法精度が低く、光学部品の取り付けが不確実になり易いという問題があった。
【００１４】
本発明は、このような問題に鑑み、光学部品のホルダーへの取り付けにおいて光学部品の汚れを防止するとともに、光学部品の取り付けを確実化した投射型映像表示装置を提供することを目的とする。
【課題を解決するための手段】
【００１５】
本発明に係る投射型映像表示装置は、光源からの光を通過させる光路用開口部の周囲に枠部が樹脂一体成形された光学部品取付用のホルダーと、このホルダーに取り付けられた光学部品とを備えた投射型映像表示装置であって、ホルダーは、光学部品の一端を支持するように光路用開口部の一端側端縁に設けられた第１爪部と、光学部品の他端を支持するように光路用開口部の他端側端縁に設けられた第２爪部と、前記一端側の枠部において第１爪部が外側へ変位可能に形成された変位手段と、前記他端側の枠部において光路用開口部に連続するとともに人手の指先を入れることができる程度の大きさに形成された指先挿入用穴とを有することを特徴とする。
【００１６】
この構成によると、次のようにして、光学部品をホルダーに取り付けることができる。光学部品の一端を先ず第１爪部に係合させる。次いで、光学部品の他端側の端面に人手の指先を当て、光学部品を第１爪部に向けて押圧する。こうすると、第１爪部が外側へ変位可能に形成された変位手段により第１爪部が第２爪部から離れるように変位する。ここで、指先を指先挿入用穴の中に入れるようにして光学部品の上端部を第２爪部の下へ移動させる。これにより、人手の指先を当てている光学部品の端部を第２爪部に容易に係合させることができる。一方、光学部品を取り外すときは、取り付けのときと逆の操作を行えばよい。先ず、指先挿入用穴に指先を突っ込んで光学部品の端部を第１爪部側に押圧する。こうすると、第１爪部が第２爪部から離れるように変位するので、光学部品を容易に取り付けることができる。したがって、光学部品の取り付け又は取り外しの作業においては、他の備品や部品を使用することなく、かつ、光学部品の表面を汚すことなく容易に光学部品をホルダーに取り付けたり、ホルダーから光学部品を取り外したりすることができる。また、爪部の構造を従来のように断面Ｕ字型に形成する必要がないので、爪部の寸法精度を向上し、光学部品の取り付けを確実化することができる。
【００１７】
この場合において、前記変位手段は、第１爪部に近接して形成されたスリットであるように構成することができる。このように構成すると、変位手段の構成を簡略化することができる。
【００１８】
また、前記ホルダーは、第１爪部が前記スリットの中央と対応する位置に設けられていることが好ましい。このように構成すると、端面を押圧する押圧力による第１爪部の端部側への変位量を大きくすることができる。
【００１９】
また、前記ホルダーは、第２爪部が前記指先挿入用穴の両側に設けられていることが好ましい。このように構成すると、第２爪部を設ける枠部において、中央部に指先挿入用穴を設けるスペースをとることができる。したがって、光学部品の中央部に指先を当てることができるようになるとともに、力を入れている両側の端部を係合させるので、バランスのよい作業を行うことができ、作業性が良好となる。
【００２０】
また、前記ホルダーは、光学部品冷却用の冷却空気が第１爪部側から第２爪部側に向けて吹き付けられるように取り付けられていることが好ましい。このように構成すれば、第１爪部側が冷却空気の吹出口に近い位置となるので、吹出口から光学部品までの距離が短くなり、光学部品に対する冷却効果を高く維持することができる。
【００２１】
また、前記ホルダーは、光学部品としての偏光板が取り付けられているようにすることができる。このように構成すると、偏光板の表面を汚すことなく人手で取り付けることができ作業性が良好となる。なお、偏光板としては、液晶ライトバルブにおける入射側偏光板、出射側偏光板の何れか一方又は双方に適用することができる。
【００２２】
また、前記ホルダーは、光学部品としての光学補償板が取り付けられているようにすることができる。このように構成すると、光学補償板の表面を汚すことなく人手で取り付けることができ作業性が良好となる。なお、光学補償板としては、液晶ライトバルブ入射側光学補償板、出射側光学補償板の何れか一方又は双方に適用することができる。
【００２３】
また、前記偏光板又は光学補償板が取り付けられるホルダーは、前記他端側の枠部に光学部品の取付角度を調整するための取手片が形成されていることが好ましい。取手片は何れかの方向の枠部に連続して設ける必要があるがこのように構成すれば、枠部と取手片との連続部を活用して指先挿入用穴を設けることができるので、比較的容易に指先挿入用穴の面積を大きくすることができる。
【００２４】
また、前記ホルダーは、光学部品としてのレンズが取り付けられているようにすることができる。このように構成すると、レンズの表面を汚すことなく人手で取り付けることができ作業性が良好となる。なお、レンズとしてはコンデンサレンズ、リレーレンズなど何れのレンズに適用することもできる。
【発明の効果】
【００２５】
本発明に係る投射型映像表示装置によれば、一端側にスリットを形成し他端側に指先挿入用穴を形成したので、光学部品の一端部を支持する第１爪部の変位を容易にするとともに、光学部品の他端部の端面を第１爪部側へ容易に押圧することできる。これにより、表面を汚すことなく光学部品を容易に取着することができる。また爪部の寸法精度を向上させることができ、光学部品の取り付けを確実化することができる。
【発明を実施するための最良の形態】
【００２６】
以下、本発明の実施の形態に係る投射型映像表示装置の光学系について図１を参照しながら説明する。
本実施の形態に係る投射型映像表示装置は、所謂３板式液晶プロジェクタであって、光源１としては、メタルハライドランプ、超高圧水銀ランプなどの放電型ランプが発光体として使用されている。光源１からの照射された光は、リフレクタによって平行光となって出射され、インテグレータレンズ２、偏光変換装置３、コンデンサレンズ４、反射ミラー５、リレーレンズ６を経て第１のダイクロイックミラー１０へ入射される。インテグレータレンズ２は、一対のレンズ群（フライアイレンズ）から構成され、個々のレンズ部分が光源１から出射された光を後述する液晶ライトバルブ２０，３０，４０の全面に導くように構成されている。これにより光源１から出射された光に存在する部分的な輝度ムラが平均化され、画面中央と周辺部とでの光量差が低減される。
【００２７】
第１のダイクロイックミラー１０は、赤色光成分を透過させるとともに、緑色光成分及び青色光成分を反射させて分離する。赤色光成分は反射ミラー１１を経て赤色光用の液晶ライトバルブ２０に導かれ、分離された緑色光成分及び青色光成分は第２のダイクロイックミラー１２で緑色光成分を反射させるとともに、青色光成分を透過させて分離する。緑色光成分は緑色光用の液晶ライトバルブ３０に導かれ、分離された青色光成分はリレーレンズ１３、反射ミラー１４、リレーレンズ１５、反射ミラー１６を経て青色光用の液晶ライトバルブ４０に導かれる。また、赤色光用、緑色光用及び青色光用の液晶ライトバルブ２０，３０，４０は、それぞれ入射側偏光板２１，３１，４１、入射側光学補償板２２，３２，４２、液晶パネル２３，３３，４３、出射側光学補償板２４，３４，４４、出射側偏光板２５，３５，４５などから構成されている。また、これら液晶ライトバルブ２０，３０，４０で変調された赤色光、緑色光、青色光はクロスダイクロイックプリズム５０で合成されて投射光学系６０へ出射される。
【００２８】
次に、このような光学系に用いられている入射側偏光板２１，３１，４１、入射側光学補償板２２，３２，４２、出射側光学補償板２４，３４，４４、出射側偏光板２５，３５，４５、コンデンサレンズ４、リレーレンズ６，１３，１５などの光学部品を光学部品取付用のホルダー（以下単にホルダーと称する）に固定する構造について説明する。
【００２９】
ここでは、その代表例として光学部品取付用のホルダーにおける入射側偏光板２１の取付構造について、図２及び３に基づき説明する。図２は、入射側偏光板を固定するホルダーの斜視図である。図３は、入射側偏光板の下方の爪部に入射側偏光板の下端を係合した工程における側断面図である。なお、以下の説明において、上下左右は図２に記載した方向であり、正面は図２における紙面の表側をいうものとする。なお、投射型映像表示装置は光軸を水平方向に保った状態で本体を左右又は上下反転して取り付けられるが、この場合における上下方向は、ホルダーが取り付けられた状態において図２に記載した方向と一致している。なお、投射型映像表示装置の本体ケース（不図示）は、図２に記載された方向における下側に下ケース側が設けられ、同方向における上側に上ケースが設けられている。
【００３０】
これら図に示すように、入射側偏光板２１は、概略四角形の薄板状のものである。
一方、ホルダー７０は、中央部には、第１のダイクロイックミラー１０で分離された赤色光を通過させる光路用開口部７１の周囲に枠部が樹脂一体成形されたものであって、全体形状も正面視略四角形であるが、上方の枠部の外周縁は丸みを帯びた形状に形成されている。また、ホルダー７０は、この上方の枠部から上方に向けて入射側偏光板２１の取付角度調整のときに使用される取手片７２（図２参照）が上方に突出するように設けられている。
【００３１】
光路用開口部７１の周辺の枠部には、入射側偏光板２１を取り付けるための構成及びこのホルダー７０をクロスダイクロイックプリズム５０周辺の筐体に取り付けるための構成が形成されている。すなわち、左右の枠部には、入射側偏光板２１の背面を支持する段部７３が光路用開口部７１内に突出する形状に形成され、下方の枠部における中央部であって光路用開口部７１の下端縁には、入射側偏光板２１の下端部を支持するための第１爪部７４が１個形成されている。また、上方の枠部の中央部には、図３に示すように、人手の指先７５が入る程度の大きさの指先挿入用穴７６が光路用開口部７１に連続して形成されている。これは、入射側偏光板２１を取り付けたり、取り外したりするときに、入射側偏光板２１の上端面を指先で下方へ押し付けることができるようにしたものである。また、上方の枠部の指先挿入用穴７６の左右の光路用開口部７１の上端縁には、入射側偏光板２１の上端部を支持する第２爪部７７が形成されている。上記において、第１爪部７４の幅寸法は、第２爪部７７の幅寸法は略同一寸法とされている。
【００３２】
また、光路用開口部７１の下方の枠部における、第１爪部７４とホルダー７０の下方の外周縁との間には、第１爪部７４に近接して、第１爪部の変位を可能とする変位手段としてのスリット７８が設けられている。スリット７８は、光路用開口部７１の下端縁と平行で、かつ光路用開口部７１の下端縁と略同一長さのスリット７８が形成されている。このスリット７８は、第１爪部７４に対し、上方から下方への力が作用したときに第１爪部７４の直下の枠部を変形させることにより、第１爪部７４を下方へ弾性的に変位させるためのものである。
【００３３】
また、このホルダー７０の左右の枠部には、ホルダー７０をクロスダイクロイックプリズム５０周辺の筐体に取り付けるための係合片７９（図２参照）が形成されている。この係合片７９は、ホルダー７０の背面側にやや折曲して形成されたもので、ホルダー７０が装着溝に挿入されたときに弾性変形し、ホルダーを弾性的に保持するものである。なお、前記装着溝は、クロスダイクロイックプリズム５０周辺の筐体に形成されているが、ここでは図示していない。
【００３４】
また、図３に示されるように、この実施の形態におけるプロジェクタにおいては、光学部品を冷却する冷却ダクトが、入射側偏光板２１等の光学部品の下方部の下ケースに配置されており、図３に示すように冷却空気が下方から入射側偏光板２１に対して吹き付けられるように構成されている。この吹き付けが逆になった場合と比較すると、冷却空気吹出口から入射側偏光板２１までの距離が短くなる。したがって、入射側偏光板２１に対する冷却効果を高く維持することができる。また、冷却空気の吹出側には冷却空気用のダクトが配置されることになるが、このダクトが配置されない側に取手片７２が配置されるので、取手片７２の所要スペースがとり易くなるとともに、取手片７２を使った光学部品の位置調整作業のスペースもとり易くなる。
【００３５】
次に、以上のように構成されたホルダー７０への入射側偏光板の取付工程を図４及び図５に基づき説明する。図４は、入射側偏光板の取付工程図であって、（ａ）は取り付け前の関連部品の斜視図であり、（ｂ）はホルダーの下方の爪部（第１爪部）に入射側偏光板の下端を係合する工程図である。図５は同工程図の続きであって、（ａ）は入射側偏光板の上端面を下方へ押圧する工程図であり、（ｂ）は入射側偏光板の取付完了図である。
【００３６】
入射側偏光板２１は、図４（ａ）に示されるように、ホルダー７０の正面から取り付けられる。先ず、図４（ｂ）に示すように、入射側偏光板２１の左右端面を人手の指先で挟んで、入射側偏光板２１の下端部を第１爪部７４に係合させる。このとき、入射側偏光板２１の背面は左右の段部７３に当接するので、入射側偏光板２１の下端部は第１爪部７４と段部７３とで挟まれたように保持される（図３参照）。続いて、図５（ａ）に示すように、入射側偏光板２１の上端面を指先で下方へ押圧し、第１爪部７４を下方へ変位させる。これにより入射側偏光板２１の上端部を容易に第２爪部７７に係合させることができる（図５（ｂ）参照）。このとき指先７５を指先挿入用穴７６に突っ込むように作業すればよいので、作業を容易に行うことができる。また、入射側偏光板２１の表面に指先が触れることを避けることができる。この結果、入射側偏光板２１は、表面が汚されることなく、正面側の第１爪部７４及び第２爪部７７と背面側の段部７３とによりホルダー７０に固定される。
【００３７】
次に、以上のようにして取り付けられた入射側偏光板２１をホルダー７０から取り外すときは、取付時とは逆の作業を行えばよい。すなわち、入射側偏光板２１を取り外すときは、指先挿入用穴７６に指先７５を突っ込んで、入射側偏光板２１の上端面を下方へ押し付ける。こうすると、第１爪部７４が下方へ変位するので入射側偏光板２１の上端部を第２爪部７７から容易に取り外すことができる。そして、図４（ｂ）に示したように、入射側偏光板２１の両側の端面を指先７５で挟むようにして入射側偏光板２１を持ち上げることにより、入射側偏光板２１をホルダー７０から取り外すことができる。
【００３８】
本実施の形態に係る投射型映像表示装置は、以上のように構成されているので次のような効果を奏することができる。
（１）入射側偏光板２１の取着作業においては、第１爪部７４の変位を可能とする変位手段が設けられているので、他の備品や部品を使用することなく、かつ、入射側偏光板２１の表面を汚すことなく容易に入射側偏光板２１をホルダー７０に取り付けることができる。また、第１爪部７４及び第２爪部７７の構造を従来のように断面Ｕ字型に形成する必要がないので、爪部の寸法精度を向上し、光学部品の取り付けを確実化することができる。
【００３９】
（２）また、第１爪部７４の変位を可能とする変位手段として、第１爪部７４に近接してスリット７８が形成された構成となっている。したがって、変位手段の構成を簡略化することができる。
【００４０】
（３）第１爪部７４が、下方の枠部においてスリット７８の中央と対応する光路用開口部７１の端縁の中央位置に設けられているので、入射側偏光板２１の上端面を押圧する押圧力による第１爪部７４の下方の端部側への変位量を大きくすることができる。
【００４１】
（４）第２爪部７７は、指先挿入用穴７６の両側に設けられているので、入射側偏光板２１の端面の中央部に力を入れることができる。また、力を入れている両側の端部を係合させるので、バランスのよい作業を行うことができ、作業性が良好となる。
【００４２】
（５）ホルダー７０は、スリット７８の中央と対応する位置に第１爪部７４が１個設けられ、指先挿入用穴７６の両側に第２爪部７７が各１個設けられているので、入射側偏光板２１をバランスよく固定するための爪部の個数を最小限にすることができる。また、変位させる第１爪部７４が１個であるので、第１爪部７４をスリット７８の長手方向と平行な方向における中央に設けることができ、上端面を押圧する押圧力に対する第１爪部７４の変位量を最大にすることができる。
【００４３】
（６）ホルダー７０は、光学部品冷却用の冷却空気が第１爪部７４側から第２爪部７７側に向けて吹き付けられるように取り付けられているので、第１爪部７４側が冷却空気の吹出口に近い位置となる。したがって、吹出口から入射側偏光板２１までの距離が短くなり、入射側偏光板２１に対する冷却効果を高く維持することができる。また、冷却空気の吹出側には冷却空気用のダクトが配置されることになるが、このダクトが配置されない側に取手片７２が位置することになるので、取手片７２の所要スペースがとり易くなるとともに、取手片７２を使った光学部品の位置調整作業のスペースもとり易くなる。
【００４４】
（７）ホルダー７０は、第２爪部７７側の枠部には、入射側偏光板２１の取付角度を調整するための取手片７２が形成されているので、第２爪部７７側の枠部と取手片７２との連続部を活用して指先挿入用穴７６を設けることができるので、比較的容易に指先挿入用穴７６の面積を大きくすることができる。
【００４５】
（変形例）
本発明は、上記実施の形態において以下のように変更することもできる。
・上記実施の形態においては、光学部品の代表として入射側偏光板２１を代表例として説明したが、他の入射側偏光板３１，４１、入射側光学補償板２２，３２，４２、出射側光学補償板２４，３４，４４、出射側偏光板２５，３５，４５の取り付けにおいても、同様のホルダー７０を使用して取り付けることができ、同様の効果を奏することができる。また、この点については、以下に述べる変形例においても同様である。
【００４６】
・また、光学部品としては、上記のものに限らずコンデンサレンズ４、リレーレンズ６，１３，１５などの取り付けにも同様のホルダー７０を使用して同様に取り付けることができる。また、この場合においても先の実施の形態の場合と同様の効果を奏することができる。なお、上記のようなレンズ系の取り付けにおいては、ホルダー７０として取手片７２のないものを使用してもよい。
【００４７】
・第１爪部７４の数は、２個以上としてもよい。但し、このように個数を増やすと、より安定した姿勢で取り付けることができる反面、第１爪部７４の下方への移動量が少なくなるという欠点が生じる。また、第１爪部７４は、図示のものより幅寸法の大きいものとすることもできるが、このようにすると個数を増やす場合と同様に第１爪部７４の下方への移動量が少なくなるという欠点が生じる。したがって、図示のように、第２爪部７７と同程度の幅寸法とすることが好ましい。
【００４８】
・上記実施の形態においては、入射側偏光板２１の前後関係の固定のために背面側には段部７３が形成されているが、ホルダー７０の側方に上下方向にスライドさせて取り付けるスライド溝を設けるようにしてもよい。
【００４９】
・上記実施の形態においては、投写型映像表示装置として光変調素子に液晶パネルを用いた３板式液晶プロジェクタを示したが、これに限定されるものではなく、他の画像光生成系を備えた投写型プロジェクタとしてもよい。例えば、ＤＬＰ（Digital Light Processing）（テキサス・インスツルメンツ（ＴＩ社）の登録商標）方式のプロジェクタを本発明に適用してもよい。
【図面の簡単な説明】
【００５０】
【図１】本発明の実施の形態に係る投射型映像表示装置の光学系の模式図である。
【図２】同投射型映像表示装置における入射側偏光板を固定するホルダーの斜視図である。
【図３】同投射型映像表示装置における入射側偏光板の取付工程における側断面図である。
【図４】入射側偏光板の取付工程図であって、（ａ）は取り付け前の配置状態における関連部品の斜視図であり、（ｂ）はホルダーの第１爪部に入射側偏光板の下端を係合する工程図である。
【図５】同工程図の続きであって、（ａ）は入射側偏光板の上端面を下方へ押圧する工程図であり、（ｂ）は入射側偏光板の取付完了図である。
【図６】従来例に係る光学部品の取付構造であって、光学部品としてコンデンサレンズを取り付ける場合の例であり、（ａ）は関連部品の斜視図であり、（ｂ）は取付工程途中の状態を示す斜視図であり、（ｃ）は光学部品の取付が完了した状態における弾性嵌合部の拡大側面図である。
【図７】同従来例に係る光学部品の取付構造であって、偏光板を取り付ける場合の例である。
【符号の説明】
【００５１】
７０…（光学部品取付用の）ホルダー、７1…光路用開口部、７２…取手片、７４…第１爪部、７５…指先、７６…指先挿入用穴、７７…第２爪部、７８…（変位手段としての）スリット。
【図１】
2010134173.tif 000003
【図２】
2010134173.tif 000004
【図３】
2010134173.tif 000005
【図４】
2010134173.tif 000006
【図５】
2010134173.tif 000007
【図６】
2010134173.tif 000008
【図７】
2010134173.tif 000009